(57)【要約】【課題】  トップカバーの高さ方向を位置決めの安定性を高められ、繰り返しの取りつけ取り外し作業にも耐えられ、ビスを抹消することができる。【解決手段】  前面にフロントパネル１が配置され、後側にフロントパネル１を位置決めするために先端がフロントパネルの１内側になるように取りつけたトッププレート２が配置され、トッププレート２の上面側のフロントパネル１側下面側にトップカバー３が配置されて、トッププレート２にトップカバー３を取りつけ、トッププレート２の左右の隅部の屈曲部２ａに上面から側面に至る切り欠き開口部２ｂを穿設しトップカバー３の側壁に切り欠き開口部２ｂと対応する箇所に内側に向けて絞られた台形状の長凹片部３ａを形成し、トッププレート２にトップカバー３を被せる際にトップカバー３の台形形状の長凹片部３ａが入り込んで位置決め固定してトッププレート２にトップカバー３を取りつける。【選択図】  図３
2005136039.tif 000002
【特許請求の範囲】
【請求項１】
前面にフロントパネルが配置され、その後側にフロントパネルを位置決めするために先端がフロントパネルの内側になるように取りつけられたトッププレートが配置され、このトッププレートの上面側であってフロントパネル側下面側にトップカバーが配置されて、前記トッププレートに前記トップカバーを取りつけるようにしたトップカバーの取付構造において、前記トッププレートの左右の隅部の屈曲部に上面から側面に至る切り欠き開口部が穿設され、前記トップカバーの側壁には、前記切り欠き開口部と対応する箇所に内側に向けて次第に絞られた台形状の長凹片部が形成されていて、前記トッププレートに前記トップカバーが被せられる際に、前記トップカバーの台形形状の長凹片部が入り込んで位置決め固定されて前記トッププレートに前記トップカバーが取りつけられるように構成したことを特徴とするトップカバーの取付構造。
【請求項２】
トッププレートにトップカバーが覆うようにして取りつけるようにしたトップカバーの取付構造において、前記トッププレートの隅部の屈曲部に上面から側面に至る切り欠き開口部が穿設され、前記トップカバーの側壁には、前記切り欠き開口部と対応する箇所に内側に凹んだ長凹片部が形成されていて、前記トッププレートに前記トップカバーが被せられる際に、前記トップカバーの長凹片部が入り込んで位置決め固定されて前記トッププレートに前記トップカバーが取りつけられるように構成したことを特徴とするトップカバーの取付構造。
【請求項３】
前記トップカバーの側壁の長凹片部は内側に向けて絞られた略台形状に形成されている請求項２に記載のトップカバーの取付構造。
【請求項４】
前記トッププレートの切り欠き開口部には、トッププレートの側面部分の切り欠き部に上側から下側の途中位置まで切り欠き部の内側に向けて傾斜するガイド傾斜部が形成され、前記トップカバーの側壁の略台形状の長凹片部を斜め向きにして被せる際に、前記台形状の長凹片部の前端がこの傾斜部に案内されて前記トッププレートの切り欠き開口部内に入り込むようにした請求項２又は３に記載のトップカバーの取付構造。
【請求項５】
前記トッププレートの切り欠き開口部の側面側の切り欠き部の内縁面は、前記トップカバーの略台形状の長凹片部に沿うように内側に向けて傾斜する沿い縁面に形成されている請求項３又は４に記載のトップカバーの取付構造。
【請求項６】
前記トップカバーの長凹片部の下縁に前記トッププレートの切り欠き開口部の側面側開口下縁に入り込む係止舌片が下向きに突設されている請求項２乃至５のいずれかに記載のトップカバーの取付構造。
【発明の詳細な説明】
【技術分野】
【０００１】
本発明は、前面にフロントパネルが配置され、その後側にフロントパネルを位置決めするために先端がフロントパネルの内側になるように取りつけられたトッププレートが配置され、このトッププレートの上面側であってフロントパネル側下面側にトップカバーが配置されて、トッププレートにトップカバーを取りつけるようにしたトップカバーの取付構造に関するものである。
【背景技術】
【０００２】
従来のトップカバーの取付構造は、図７に示すように、トッププレート１０１にトップカバー１０２を２本のビス１０３で取りつけるようにしていた。
ところが、これにおいては、ビス１０３を必要とするので、部品点数が多くなり、コスト高になるという問題があった。
また、トップカバー１０２にフロントパネル１０４を位置決めするには、図８に示すように、トップカバー１０２の先端に設けられ、フロントパネル１０４の上壁１０４ａの内側にトップカバー１０２の先端の上向きに屈曲したリブ１０２ａを嵌め入れて位置決めしていたが、この部位は寸法管理が難しい場所であるためにトップカバー１０２の高さが設計したとおりに出せないという問題があり、また、フロントパネル１０４の上壁の抜き勾配で高さ寸法が決まるために寸法が不安定になり、この部位の管理が難しくて係止片１０２ａの変形等によるばらつきが多いという問題があった。また、トップカバー１０２の繰り返しの取りつけ取り外しによって、リブ１０２ａが削れてしまって位置決めができなくなるという問題があった。
【０００３】
第１の従来技術を図９（ａ）（ｂ）に示す。これは、樹脂製のフロントパネル２０１に、その上面側のトップカバー２０２の結合面からカバーの下面に突出し、カバーの下面に設けられた突起を受けるフロントパネル側の受け耳部２１１ａ、２１１ｂを設ける。カバー２０２にフロントパネル２０１との合わせ面から突出して結合時にフロントパネル２０１の上面の裏面に挿入される舌部２２１と受け耳部２１１ａ、２１１ｂに挿入される係合突起２２２ａ、２２２ｂを設ける。筐体形成時に舌部２２１をフロントパネル２０１の上面の裏面に挿入するとともにトップカバー２０１の突起２２２ａ、２２２ｂを受け耳部２１１ａ、２１１ｂに上側から挿入し、フロントパネル２０１の上面側を上下から拘束するものである。（例えば、特許文献１参照）。
ところが、これは、トップカバー２０２とフロントパネル２０１の前後方向の位置決めをするものであって、高さ方向の位置決めをするものではなかった。
【０００４】
第２の従来技術を図１０、図１１に示す。基板３１１に立設されて電子部品群を包囲する金属板製の枠体３１２と、この枠体３１２の上部開口３１２ｂを蓋閉する上面板３１４の周縁部を下方へ折曲して側板３１５となした金属板製のカバー３１３とを備え、側板３１５に設けた係合部３１５ａを枠体３１２に設けた係止部３１２ａに係合させることで側板１３５が枠体３１２に外嵌された状態となり、かつ、枠体３１２の上端部に外嵌時の側板３１５を案内するための傾斜面３１２ｃを設けると共に、側板３１５の少なくとも係合部３１５ａよりも下端側を枠体３１２の外壁面に沿う平板状となしたものである。（例えば、特許文献２参照）。
ところが、これは、枠体３１２に設けた穴部からなる係止部３１２ａに、カバー３１３の円弧状の係合部３１５ａを係入して係止しているだけなので、外れやすいという欠点があった。
【０００５】
第３の従来技術を図１２（ａ）（ｂ）（ｃ）、図１３に示す。配線基板を収納する下面開口状のフレーム４０１とその開口を覆うシールドカバー４０２とからなり、そのフレーム４０１とシールドカバー４０２のうちのどちらか一方の一対の相対向する側面にそれぞれ突部４０１ａを有し、残る他方の一対の相対向する側面に突部４０１ａに対応する穴部４０２ａを有し、突部４０１ａを穴部４０２ａに掛止することによりフレーム４０１とシールドカバー４０２とを組合せてなる筐体構造において、フレーム４０１の一対の相対向する側面の下端であって突部４０１ａまたは穴部４０２ａに対応する位置に切欠き部４０１ｂを設けるとともに、フレーム４０１およびシールドカバー４０２の相対向する側面に設けた突部４０１ａおよび穴部４０２ａは、シールドカバー４０２をフレーム４０１の切欠き部４０１ｂにおいて変形させたときに互いに掛止される位置関係になるようにしたものである。（例えば、特許文献３参照）。
【０００６】
ところが、これは、単にフレーム４０１に突部４０１ａを設け、シールドカバー４０２に穴部４０２ａを設けて互いに掛止するだけのもので、他に何の工夫も施されていないものであった。また、フレーム４０１に突部４０１ａが設けられているために、このフレーム４０１をシールドカバー４０２に上側から嵌め入れて取りつけるときに、シールドカバー４０２を外側に拡げなくてならず、この取付作業が手間を要するものであった。更に、フレーム４０１にシールドカバーを取りつけ取り外しする際に突部４０１が削れやすいという問題があった。
【０００７】
【特許文献１】特開平９−２６０８５７号公報
【特許文献２】特開２００１−１９６７５８号公報
【特許文献３】実開平２−３３４９９号公報
【発明の開示】
【発明が解決しようとする課題】
【０００８】
本発明は、上記従来の問題を解消し、トップカバーの高さ方向の位置決めの安定性を高めることができ、繰り返しの取りつけ取り外し作業にも耐えることができ、従来トップカバーの取付に必要であったビスを抹消することができるトップカバーの取付構造を提供することを目的としている。
【課題を解決するための手段】
【０００９】
本発明は、上記課題を解決するために提案されたものであって、請求項１に記載の発明は、前面にフロントパネルが配置され、その後側にフロントパネルを位置決めするために先端がフロントパネルの内側になるように取りつけられたトッププレートが配置され、このトッププレートの上面側であってフロントパネル側下面側にトップカバーが配置されて、前記トッププレートに前記トップカバーを取りつけるようにしたトップカバーの取付構造において、前記トッププレートの左右の隅部の屈曲部に上面から側面に至る切り欠き開口部が穿設され、前記トップカバーの側壁には、前記切り欠き開口部と対応する箇所に内側に向けて次第に絞られた台形状の長凹片部が形成されていて、前記トッププレートに前記トップカバーが被せられる際に、前記トップカバーの台形形状の長凹片部が入り込んで位置決め固定されて前記トッププレートに前記トップカバーが取りつけられるように構成したことを特徴としている。
【００１０】
請求項２に記載の発明は、トッププレートにトップカバーが覆うようにして取りつけるようにしたトップカバーの取付構造において、前記トッププレートの隅部の屈曲部に上面から側面に至る切り欠き開口部が穿設され、前記トップカバーの側壁には、前記切り欠き開口部と対応する箇所に内側に凹んだ長凹片部が形成されていて、前記トッププレートに前記トップカバーが被せられる際に、前記トップカバーの長凹片部が入り込んで位置決め固定されて前記トッププレートに前記トップカバーが取りつけられるように構成したことを特徴としている。
【００１１】
請求項３に記載の発明は、前記トップカバーの側壁の長凹片部は内側に向けて絞られた略台形状に形成されているものである。
請求項４に記載の発明は、前記トッププレートの切り欠き開口部には、トッププレートの側面部分の切り欠き部に上側から下側の途中位置まで切り欠き部の内側に向けて傾斜するガイド傾斜部が形成され、前記トップカバーの側壁の略台形状の長凹片部を斜め向きにして被せる際に、前記台形状の長凹片部の前端がこの傾斜部に案内されて前記トッププレートの切り欠き開口部内に入り込むようにしたものである。
【００１２】
請求項５に記載の発明は、前記トッププレートの切り欠き開口部の側面側の切り欠き部の内縁面は、前記トップカバーの略台形状の長凹片部に沿うように内側に向けて傾斜する沿い縁面に形成されているものである。
請求項６に記載の発明は、前記トップカバーの長凹片部の下縁に前記トッププレートの切り欠き開口部の側面側開口下縁に入り込む係止舌片が下向きに突設されているものである。
【発明の効果】
【００１３】
請求項１に記載の発明によれば、トッププレートの左右の隅部の屈曲部の上面から側面に至る切り欠き開口部に、トップカバーの側壁の次第に絞られた台形状の長凹片部を入り込ませて位置決めした状態でトッププレートにトップカバーが取りつけられるので、トップカバーの高さ方向を位置決めの安定性を高めることができ、繰り返しの取りつけ取り外し作業にも耐えることができ、従来のトップカバーの取付に必要であったビスを抹消することができる。また、トッププレートにトップカバーを位置決めすることができることによって、このトップカバーによって、フロントパネルも正確に位置決めすることができる。
【００１４】
請求項２に記載によれば、トッププレートの隅部の屈曲部の上面から側面に至る切り欠き開口部に、トップカバーの側壁の長凹片部を入り込ませることによって、トッププレートにトップカバーを位置決めした状態で取りつけることができ、繰り返しの取りつけ取り外し作業にも耐えることができ、従来のトップカバーの取付に必要であったビスを抹消することができる。
【００１５】
請求項３に記載の発明によれば、トップカバーの側壁の長凹片部が内側に向けて絞られた略台形状に形成されているので、この略台形状の長凹片部をトップカバーの側壁に容易に形成することができる。
請求項４に記載の発明によれば、トップカバーの側壁の略台形状の長凹片部をトッププレートの切り欠き開口部のガイド傾斜部に沿って切り欠き開口部内にスムーズに入り込ませることができる。
【００１６】
請求項５に記載の発明によれば、トップカバーの台形状の長凹片部がトッププレートの切り欠き開口部の内縁面の沿い縁面に沿った状態に入り込むので、この入り込んだ状態をがたつきなく安定させることができる。
請求項６に記載の発明によれば、トップカバーの長凹片部の係止舌片がトッププレートの切り欠き開口部の下縁に入り込んでいるので、トップカバーの左右方向の位置決めを安定して行うことができる。
【発明を実施するための最良の形態】
【００１７】
以下、本発明に係るトップカバーの取付構造の実施の形態について、図を参照しつつ説明する。
図１は本発明の第１実施形態のトップカバーの取付構造の組み付け前の斜視図、図２は同構造の側面図、図３は同構造の平面図である。
【００１８】
この第１実施形態のトップカバーの取付構造は、図１に示すように、前面にフロントパネル１が配置され、その後側にフロントパネル１を位置決めするために先端がフロントパネル１の内側になるように取りつけられた断面コ字形の二重構造のトッププレート２が配置され、このトッププレート２の上面側であってフロントパネル１側下面側に断面コ字形のトップカバー３が配置されて、トッププレート２にトップカバー３を取りつけるようにしている。
また、図２、図３にも示すように、トッププレート２の左右の隅部の屈曲部２ａに上面から側面に至る切り欠き開口部２ｂが穿設されている。トップカバー３の側壁には、トッププレート２の切り欠き開口部２ｂと対応する箇所に内側に向けて次第に絞られた台形状の長凹片部３ａが形成されている。
【００１９】
そして、トッププレート２にトップカバー３が斜め向きに被せられる際に、トップカバー３の台形形状の長凹片部３ａがトッププレート２の切り欠き開口部２ｂに入り込んで位置決め固定されてトッププレート２にトップカバー３が取りつけられるようになっている。このとき、図１に示すように、トップカバー３の前端の段片３ｂがフロントパネル１の上壁１ａの下側に入り込むようになっている。
【００２０】
したがって、この第１実施形態によれば、トッププレート２の左右の隅部の屈曲部２ａの上面から側面に至る切り欠き開口部２ｂに、トップカバー３の側壁の次第に絞られた台形状の長凹片部３ａを入り込ませて位置決めした状態でトッププレート２にトップカバー３が取りつけられるので、トップカバー３の高さ方向を位置決めの安定性を高めることができ、繰り返しの取りつけ取り外し作業にも耐えることができ、従来のトップカバー３の取付に必要であったビスを抹消することができる。また、トッププレート２にトップカバー３を位置決めすることができることにより、このトップカバー３の段片３ｂがフロントパネル１の上壁１ａの下側に入り込んでいるので、フロントパネル１も正確に位置決めすることができる。
【００２１】
図４は第２実施形態のトップカバーの取付構造の要部の部分斜視図である。
この第２実施形態のトップカバーの取りつけ構造は、トッププレート２の切り欠き開口部２ｂには、トッププレート２の側面部分の切り欠き部に上側から下側の途中位置まで切り欠き部の内側に向けて傾斜するガイド傾斜部２ｃが形成されている。そして、トップカバー３の側壁の略台形状の長凹片部３ａを斜め向きにして被せる際に、略台形状の長凹片部３ａの前端がこの傾斜部２ｃに案内されてトッププレート２の切り欠き開口部２ｂ内に入り込むようにしている。
したがって、この第２実施形態によれば、トップカバー３の側壁の略台形状の長凹片部３ａをトッププレート２の切り欠き開口部２ｂのガイド傾斜部２ｃに沿って切り欠き開口部２ｂ内にスムーズに入り込ませることができる。
【００２２】
図５は第３実施形態のトップカバーの取付構造の要部の部分平面断面図である。
この第３実施形態のトップカバーの取付構造は、図５に示すように、トッププレート２の切り欠き開口部２ｂの側面側の切り欠き部の内縁面は、トップカバー３の略台形状の長凹片部３ａに沿うように内側に向けて狭まるように傾斜する沿い縁面２ｄに形成されている。
したがって、この第３実施形態によれば、トップカバー３の台形状の長凹片部３ａがトッププレート２の切り欠き開口部２ｂの内縁面の沿い縁面に沿った状態に入り込むので、この入り込んだ状態をがたつきなく安定させることができる。
【００２３】
図６は第４実施形態のトップカバーの取付構造の要部の部分斜視図である。
この第４実施形態のトップカバーの取付構造は、図６に示すように、トップカバー３の長凹片部３ａの下縁にトッププレート２の切り欠き開口部２ｂの側面側開口下縁に入り込む係止舌片３ｃが下向きに突設されている。
したがって、この第４実施形態によれば、トップカバー３の長凹片部３ａの係止舌片３ｃがトッププレート２の切り欠き開口部２ｂの下縁に入り込んでいるので、トップカバー３の左右方向の位置決めを安定して行うことができる。
【図面の簡単な説明】
【００２４】
【図１】本発明の第１実施形態のトップカバーの取付構造の組み付け前の斜視図である。
【図２】同構造の側面図である。
【図３】同構造の平面図である。
【図４】第２実施形態のトップカバーの取付構造の要部の部分斜視図である。
【図５】第３実施形態のトップカバーの取付構造の要部の部分平面断面図である。
【図６】第４実施形態のトップカバーの取付構造の要部の部分斜視図である。
【図７】従来のトッププレートにトップカバーを取り付けた状態の平面図である。
【図８】従来のフロントパネルにトップカバーを位置決め固定した状態の側断面図である。
【図９】従来の筐体のフロントパネルとトップカバーの合わせ構造を示し、（ａ）はその分解斜視図、（ｂ）は同構造を利用した筐体の断面図である。
【図１０】従来の電子機器のシールド構造示す部分断面図である。
【図１１】同構造における枠体およびカバーの全体の形状を示す概略斜視図である。
【図１２】従来の高周波機器の筐体構造を示し、（ａ）はその分解斜視図、（ｂ）はそのフレームの側面断面図、（ｃ）はそのシールドカバーの側面図である。
【図１３】同構造におけるフレームとシールドカバーの組み立て後の側面図である。
【符号の説明】
【００２５】
１                フロントパネル
１ａ              上壁
２                トッププレート
２ａ              屈曲部
２ｂ              切り欠き開口部
２ｃ              ガイド傾斜部
２ｄ              沿い縁面
３                トップカバー
３ａ              台形状の長凹片部
３ｂ              前端の段片
３ｃ              係止舌片
【図１】
2005136039.tif 000003
【図２】
2005136039.tif 000004
【図３】
2005136039.tif 000005
【図４】
2005136039.tif 000006
【図５】
2005136039.tif 000007
【図６】
2005136039.tif 000008
【図７】
2005136039.tif 000009
【図８】
2005136039.tif 000010
【図９】
2005136039.tif 000011
【図１０】
2005136039.tif 000012
【図１１】
2005136039.tif 000013
【図１２】
2005136039.tif 000014
【図１３】
2005136039.tif 000015